(57)【要約】    【課題】  情報記憶媒体に保存されている情報内容と表示部の表示内容との不一致を防止することができ、もって使用者が情報記憶媒体に保存されている情報内容を容易且つ正確に認識することができる記録再生装置及び記録再生方法、記録再生プログラム及び記憶媒体、並びに情報記憶媒体を提供する。    【解決手段】  デジタルカメラ５００は、取得したデバイス情報の中にラベル機能に関する項目があるときは、表示部（ラベル）３，４に書き込む画像データをビットマップに展開し、ラベル書き込みコマンドを発行し、ビットマップデータを全て送信する。メモリカード１００は、デジタルカメラ５００からラベル書き込みコマンドを受け取った場合、デジタルカメラ５００から受け取ったビットマップデータを表示部データ記録領域１１に記録し、表示制御部１０が表示部３，４を制御することにより表示部データ記録領域１１に書き込まれたビットマップデータをラベル画像として表示部３，４に表示させる。【選択図】      図５
2006060413.tif 000002
【特許請求の範囲】
【請求項１】
情報を記録する記録部と、前記情報に関するデータを表示する表示部と、前記表示部に表示されたデータを書き換える書き換え手段とを備える情報記憶媒体が着脱可能に装着される記録再生装置において、所定の情報を前記情報記憶媒体に転送する情報転送手段と、前記転送された情報に基づいて前記表示部に表示されたデータを書き換えるように前記書き換え手段を制御する制御手段とを備えることを特徴とする記録再生装置。
【請求項２】
画像データを生成する撮像手段と、前記生成された画像データに基づいてビットマップデータを生成するビットマップデータ生成手段とをさらに備え、前記情報転送手段は、前記画像データが生成される毎に、前記生成された画像データ及び前記生成されたビットマップデータを前記情報記憶媒体に転送し、前記制御手段は、前記表示部に表示されたデータを前記転送されたビットマップデータに書き換えるように前記書き換え手段を制御することを特徴とする請求項１記載の記録再生装置。
【請求項３】
連写時は一連の連写における最後の撮影によって前記表示部に表示されたデータを書き換えることを特徴とする請求項２記載の記録再生装置。
【請求項４】
画像データを生成する撮像手段と、前記記録再生装置への電力供給を制御する電力供給制御手段と、前記生成された画像データのうち最新の画像データに基づいてビットマップデータを生成するビットマップデータ生成手段とをさらに備え、前記記録再生装置への電力供給を遮断するときには、前記情報転送手段は電力供給の遮断前に前記生成された画像データ及び前記生成されたビットマップデータを前記情報記憶媒体に転送し、前記制御手段は前記表示部に表示されたデータを前記転送されたビットマップデータに書き換えるように前記書き換え手段を制御することを特徴とする請求項１記載の記録再生装置。
【請求項５】
画像データを生成する撮像手段と、前記情報記憶媒体が取り外される可能性を検出する挿抜可能性検出手段と、前記情報記憶媒体が取り外される可能性を検出したときは、前記生成された画像データのうち最新の画像データに基づいてビットマップデータを生成するビットマップデータ生成手段とをさらに備え、前記情報転送手段は前記生成された画像データ及び前記生成されたビットマップデータを前記情報記憶媒体に転送し、前記制御手段は前記表示部に表示されたデータを前記転送されたビットマップデータに書き換えるように前記書き換え手段を制御することを特徴とする請求項１記載の記録再生装置。
【請求項６】
前記表示部に表示されたデータのファイル名を含むラベル情報ファイルを生成するラベル情報ファイル生成手段をさらに備え、前記情報転送手段は前記生成されたラベル情報ファイルを前記情報記憶媒体に転送することを特徴とする請求項１乃至５のいずれか１項に記載の記録再生装置。
【請求項７】
前記制御手段は、前記生成されたラベル情報ファイルよりも後に生成された他のラベル情報ファイルが前記記憶部に記録されたときは、前記表示部に表示されたデータを前記他のラベル情報ファイルから生成された情報に書き換えるように前記書き換え手段を制御することを特徴とする請求項６記載の記録再生装置。
【請求項８】
前記生成されたラベル情報ファイルが前記記憶部に記録されていないときは、警告を発する警告手段をさらに備えることを特徴とする請求項６又は７記載の記録再生装置。
【請求項９】
前記記録再生装置への電力供給を制御する電力供給制御手段をさらに備え、前記警告手段は、前記記録再生装置への電力供給がなされたときは、警告を発することを特徴とする請求項８記載の記録再生装置。
【請求項１０】
前記情報記憶媒体が取り外される可能性を検出する挿抜可能性検出手段をさらに備え、前記警告手段は、前記情報記憶媒体が取り外される可能性を検出したときは、警告を発することを特徴とする請求項８記載の記録再生装置。
【請求項１１】
前記生成されたラベル情報ファイルが前記記憶部に記録されていないときは、前記表示部に表示されたデータを消去する消去手段をさらに備えることを特徴とする請求項６又は７記載の記録再生装置。
【請求項１２】
前記記録再生装置への電力供給を制御する電力供給制御手段をさらに備え、前記消去手段は、前記記録再生装置への電力供給がなされたときは、前記表示部に表示されたデータを消去することを特徴とする請求項１１記載の記録再生装置。
【請求項１３】
前記情報記憶媒体が取り外される可能性を検出する挿抜可能性検出手段をさらに備え、前記消去手段は、前記情報記憶媒体が取り外される可能性を検出したときは、前記表示部に表示されたデータを消去することを特徴とする請求項１１記載の記録再生装置。
【請求項１４】
前記表示部に表示されたデータのファイルを消去するファイル消去手段と、前記消去されるファイルが前記ラベル情報ファイルに含まれているときは警告を発する第２の警告手段とをさらに備えることを特徴とする請求項６乃至１３のいずれか１項に記載の記録再生装置。
【請求項１５】
前記消去されるファイルから生成されたデータを前記表示部から消去する第２の消去手段をさらに備えることを特徴とする請求項１４記載の記録再生装置。
【請求項１６】
前記情報記憶媒体を初期化する初期化手段をさらに備え、前記第２の消去手段は、前記情報記憶媒体を初期化するときは前記データを前記表示部から消去することを特徴とする請求項１５記載の記録再生装置。
【請求項１７】
前記情報記憶媒体に記録された画像ファイルに含まれる画像データを表示するディスプレイと、使用者からの指示を検知する検知手段とをさらに備え、前記制御手段は、前記画像データがディスプレイに表示された状態で使用者からの指示が検知されたときは、前記画像データに関する情報が前記表示部に表示されるように前記書き換え手段を制御することを特徴とする請求項１乃至１６のいずれか１項に記載の記録再生装置。
【請求項１８】
前記ディスプレイに表示された画像データが複数の縮小画像であるときは、前記制御手段は、前記複数の縮小画像の全てが前記表示部に表示されるように前記書き換え手段を制御することを特徴とする請求項１７の記録再生装置。
【請求項１９】
前記情報記憶媒体に転送された所定の情報が前記表示部に表示されたときは、前記転送された所定の情報のファイルをライトプロテクト設定するライトプロテクト設定手段を備えることを特徴とする請求項１乃至１８のいずれか１項に記載の記録再生装置。
【請求項２０】
前記表示部に表示された情報を表示する第２のディスプレイとを備えることを特徴とする請求項１７乃至１９のいずれか１項に記載の記録再生装置。
【請求項２１】
前記第２のディスプレイは、前記表示部に表示された情報が書き換えられるときは、前記表示部が表示している情報と前記表示部が表示しようとしている情報とを表示することを特徴とする請求項２０の記録再生装置。
【請求項２２】
情報を記録する記録部と、前記情報に関するデータを表示する表示部と、前記表示部に表示されたデータを書き換える書き換え手段とを備える情報記憶媒体が着脱可能に装着される記録再生装置の記録再生方法において、所定の情報を前記情報記憶媒体に転送する情報転送ステップと、前記転送された情報に基づいて前記表示部に表示されたデータを書き換えるように前記書き換え手段を制御する制御ステップとを備えることを特徴とする記録再生方法。
【請求項２３】
画像データを生成する撮像ステップと、前記生成された画像データに基づいてビットマップデータを生成するビットマップデータ生成ステップとをさらに備え、前記情報転送ステップは、前記画像データが生成される毎に、前記生成された画像データ及び前記生成されたビットマップデータを前記情報記憶媒体に転送し、前記制御ステップは、前記表示部に表示されたデータを前記転送されたビットマップデータに書き換えるように前記書き換え手段を制御することを特徴とする請求項２２記載の記録再生方法。
【請求項２４】
画像データを生成する撮像ステップと、前記記録再生装置への電力供給を制御する電力供給制御ステップと、前記記録再生装置への電力供給を遮断するまえには、前記生成された画像データのうち最新の画像データに基づいてビットマップデータを生成するビットマップデータ生成ステップとをさらに備え、前記情報転送ステップは前記生成された画像データ及び前記生成されたビットマップデータを前記情報記憶媒体に転送し、前記制御ステップは前記表示部に表示されたデータを前記転送されたビットマップデータに書き換えるように前記書き換え手段を制御することを特徴とする請求項２２記載の記録再生方法。
【請求項２５】
画像データを生成する撮像ステップと、前記情報記憶媒体が取り外される可能性を検出する挿抜可能性検出ステップと、前記情報記憶媒体が取り外される可能性を検出したときは、前記生成された画像データのうち最新の画像データに基づいてビットマップデータを生成するビットマップデータ生成ステップとをさらに備え、前記情報転送ステップは前記生成された画像データ及び前記生成されたビットマップデータを前記情報記憶媒体に転送し、前記制御ステップは前記表示部に表示されたデータを前記転送されたビットマップデータに書き換えるように前記書き換え手段を制御することを特徴とする請求項２２記載の記録再生方法。
【請求項２６】
前記表示部に表示されたデータのファイル名を含むラベル情報ファイルを生成するラベル情報ファイル生成ステップをさらに備え、前記情報転送ステップは前記生成されたラベル情報ファイルを前記情報記憶媒体に転送することを特徴とする請求項２２乃至２５のいずれか１項に記載の記録再生方法。
【請求項２７】
前記制御ステップは、前記生成されたラベル情報ファイルよりも後に生成された他のラベル情報ファイルが前記記憶部に記録されたときは、前記表示部に表示されたデータを前記他のラベル情報ファイルから生成された情報に書き換えるように前記書き換え手段を制御することを特徴とする請求項２６記載の記録再生方法。
【請求項２８】
前記生成されたラベル情報ファイルが前記記憶部に記録されていないときは、警告を発する警告ステップをさらに備えることを特徴とする請求項２６又は２７記載の記録再生方法。
【請求項２９】
前記記録再生装置への電力供給を制御する電力供給制御ステップをさらに備え、前記警告ステップは、前記記録再生装置への電力供給がなされたときは、警告を発することを特徴とする請求項２８記載の記録再生方法。
【請求項３０】
前記情報記憶媒体が取り外される可能性を検出する挿抜可能性検出ステップをさらに備え、前記警告ステップは、前記情報記憶媒体が取り外される可能性を検出したときは、警告を発することを特徴とする請求項２８記載の記録再生方法。
【請求項３１】
前記生成されたラベル情報ファイルが前記記憶部に記録されていないときは、前記表示部に表示されたデータを消去する消去ステップをさらに備えることを特徴とする請求項２６又は２７記載の記録再生方法。
【請求項３２】
前記記録再生装置への電力供給を制御する電力供給制御ステップをさらに備え、前記消去ステップは、前記記録再生装置への電力供給がなされたときは、前記表示部に表示されたデータを消去することを特徴とする請求項３１記載の記録再生方法。
【請求項３３】
前記情報記憶媒体が取り外される可能性を検出する挿抜可能性検出ステップをさらに備え、前記消去ステップは、前記情報記憶媒体が取り外される可能性を検出したときは、前記表示部に表示されたデータを消去することを特徴とする請求項３１記載の記録再生方法。
【請求項３４】
前記表示部に表示されたデータのファイルを消去するファイル消去ステップと、前記消去されるファイルが前記ラベル情報ファイルに含まれているときは警告を発する第２の警告ステップとをさらに備えることを特徴とする請求項２６乃至３３のいずれか１項に記載の記録再生方法。
【請求項３５】
前記消去されるファイルから生成されたデータを前記表示部から消去する第２の消去ステップをさらに備えることを特徴とする請求項３４記載の記録再生方法。
【請求項３６】
前記情報記憶媒体を初期化する初期化ステップをさらに備え、前記第２の消去ステップは、前記情報記憶媒体を初期化するときは前記データを前記表示部から消去することを特徴とする請求項３５記載の記録再生方法。
【請求項３７】
前記情報記憶媒体に記録された画像ファイルに含まれる画像データを表示するディスプレイと、使用者からの指示を検知する検知ステップとをさらに備え、前記制御ステップは、前記画像データがディスプレイに表示された状態で使用者からの指示が検知されたときは、前記画像データに関する情報が前記表示部に表示されるように前記書き換え手段を制御することを特徴とする請求項２２乃至３６のいずれか１項に記載の記録再生方法。
【請求項３８】
前記ディスプレイに表示された画像データが複数の縮小画像であるときは、前記制御ステップは、前記複数の縮小画像の全てが前記表示部に表示されるように前記書き換え手段を制御することを特徴とする請求項３７の記録再生方法。
【請求項３９】
前記情報記憶媒体に転送された所定の情報が前記表示部に表示されたときは、前記転送された所定の情報のファイルをライトプロテクト設定するライトプロテクト設定ステップを備えることを特徴とする請求項２２乃至３８のいずれか１項に記載の記録再生方法。
【請求項４０】
前記表示部に表示された情報を表示する第２のディスプレイとを備えることを特徴とする請求項３７乃至３９のいずれか１項に記載の記録再生方法。
【請求項４１】
前記第２のディスプレイは、前記表示部に表示された情報が書き換えられるときは、前記表示部が表示している情報と前記表示部が表示しようとしている情報とを表示することを特徴とする請求項４０の記録再生方法。
【請求項４２】
情報を記録する記録部と、前記情報に関するデータを表示する表示部と、前記表示部に表示されたデータを書き換える書き換え手段とを備える情報記憶媒体が着脱可能に装着される記録再生装置の記録再生を実行するプログラムにおいて、所定の情報を前記情報記憶媒体に転送する情報転送モジュールと、前記転送された情報に基づいて前記表示部に表示されたデータを書き換えるように前記書き換え手段を制御する制御モジュールとをコンピュータに実行させることを特徴とする記録再生プログラム。
【請求項４３】
請求項４２記載の記録再生プログラムを格納することを特徴とするコンピュータ読取り可能な記憶媒体。
【請求項４４】
情報を記録する記録部と、前記情報に関するデータを表示する表示部と、前記表示部に表示されたデータを書き換える書き換え手段とを備える情報記憶媒体において、前記表示部の有無、前記表示部の数、及び前記表示部が表示可能なデータサイズのいずれかを出力する出力手段をさらに備えることを特徴とする情報記憶媒体。
【請求項４５】
情報をブロック単位で記録する記録部と、前記情報に関するデータを表示する表示部と、前記表示部に表示されたデータを書き換える書き換え手段とを備える情報記憶媒体において、前記記録部により記録された情報を前記ブロック単位で前記表示部に転送する情報転送手段を備えることを特徴とする情報記憶媒体。
【請求項４６】
前記ブロック単位のうち特定のブロックを指定する論理ブロックアドレスを使用することにより情報転送先を指定する指定手段をさらに備えることを特徴とする請求項４５記載の情報記憶媒体。
【発明の詳細な説明】
【技術分野】
【０００１】
本発明は記録再生装置及び記録再生方法、記録再生プログラム及び記憶媒体、並びに情報記憶媒体に関し、特に、情報機器として好適な記録再生装置及び記録再生方法、記録再生プログラム及び記憶媒体、並びに情報記憶媒体に関するものである。
【背景技術】
【０００２】
従来のカメラには、情報を保存することができるメモリカードや光学記録ディスク等の情報記憶媒体が脱着可能に装着される。
【０００３】
このような情報記憶媒体に保存される情報は電子ファイル等の電子データであり、情報記憶媒体単体では情報記憶媒体に保存された情報を見ることはできない。従って、情報記憶媒体に保存された情報を見るためには、情報記憶媒体に保存された情報の読み取り及び表示が可能なパーソナルコンピュータ（ＰＣ）等の装置を用いることが必要となる。
【０００４】
一方、情報記憶媒体には、例えば、保存されている画像データのインデックスや情報記憶媒体の残容量等を表示する表示部（ラベル）を備えたものがある（例えば、特許文献１参照）。さらに、書き換え可能な表示部（ラベル）を備えたメモリカードもある（例えば、特許文献２参照）。
【０００５】
このような表示部（ラベル）を備える情報記憶媒体では、情報記憶媒体に保存されている情報を可視化して表示することにより、情報記憶媒体単体で情報記憶媒体に保存されている情報や情報記憶媒体の残容量等を見ることができる。
【特許文献１】特開２００２−２４５７４７号公報
【特許文献２】特開２００３−３３１５６０号公報（第２３頁、図２１）
【発明の開示】
【発明が解決しようとする課題】
【０００６】
しかしながら、情報記憶媒体に保存されている情報内容を書き換えたにも拘わらず、表示部の表示内容を書き換えなかった場合、情報記憶媒体に保存されている情報内容と表示部の表示内容とが一致せず、表示部の表示内容により情報記憶媒体に保存されている情報内容を判断する使用者は、情報記憶媒体に保存されている情報内容を誤認識してしまい、情報記憶媒体に保存されている情報を情報記憶媒体単体から認識することができない。
【０００７】
また、書き換えを高頻度で行った場合、使用者が記憶した表示部（ラベル）と情報記憶媒体が実際に表示する表示部（ラベル）とが一致しなくなる可能性が高くなる。特に、１人の使用者が複数の情報記憶媒体を取り扱う場合、情報記憶媒体の各々を識別することができない。
【０００８】
また、情報記憶媒体が書き換え可能な表示部を有する場合であっても、情報記憶媒体が装置に装着されている状態においては、表示部を見ることができないため、現在使用中の情報記憶媒体が何であるかを識別することができず、使い勝手が悪い。
【０００９】
本発明の目的は、情報記憶媒体に保存されている情報内容と表示部の表示内容との不一致を防止することができ、もって使用者が情報記憶媒体に保存されている情報内容を容易且つ正確に認識することができる記録再生装置及び記録再生方法、記録再生プログラム及び記憶媒体、並びに情報記憶媒体を提供することにある。
【課題を解決するための手段】
【００１０】
上記目的を達成するために、請求項１記載の記録再生装置は、情報を記録する記録部と、前記情報に関するデータを表示する表示部と、前記表示部に表示されたデータを書き換える書き換え手段とを備える情報記憶媒体が着脱可能に装着される記録再生装置において、所定の情報を前記情報記憶媒体に転送する情報転送手段と、前記転送された情報に基づいて前記表示部に表示されたデータを書き換えるように前記書き換え手段を制御する制御手段とを備えることを特徴とする。
【００１１】
上記目的を達成するために、請求項２２記載の記録再生方法は、情報を記録する記録部と、前記情報に関するデータを表示する表示部と、前記表示部に表示されたデータを書き換える書き換え手段とを備える情報記憶媒体が着脱可能に装着される記録再生装置の記録再生方法において、所定の情報を前記情報記憶媒体に転送する情報転送ステップと、前記転送された情報に基づいて前記表示部に表示されたデータを書き換えるように前記書き換え手段を制御する制御ステップとを備えることを特徴とする。
【００１２】
上記目的を達成するために、請求項４２記載の記録再生プログラムは、情報を記録する記録部と、前記情報に関するデータを表示する表示部と、前記表示部に表示されたデータを書き換える書き換え手段とを備える情報記憶媒体が着脱可能に装着される記録再生装置の記録再生を実行するプログラムにおいて、所定の情報を前記情報記憶媒体に転送する情報転送モジュールと、前記転送された情報に基づいて前記表示部に表示されたデータを書き換えるように前記書き換え手段を制御する制御モジュールとをコンピュータに実行させることを特徴とする。
【発明の効果】
【００１３】
請求項１記載の記録再生装置、請求項２２記載の記録再生方法、及び請求項４２記載の記録再生プログラムによれば、所定の情報を情報記憶媒体に転送し、所定の情報に基づいて表示部に表示されたデータを書き換えるように書き換え手段を制御するので、情報記憶媒体に保存されている情報内容と表示部の表示内容との不一致を防止することができ、もって使用者が情報記憶媒体に保存されている情報内容を容易且つ正確に認識することができる。
【００１４】
請求項２記載の記録再生装置及び請求項２３記載の記録再生方法によれば、画像データが生成される毎に、画像データ及びビットマップデータを情報記憶媒体に転送し、表示部に表示されたデータを転送されたビットマップデータに書き換えるように書き換え手段を制御するので、表示部の表示内容を情報記憶媒体の最新の状況に合わせて頻繁に更新することができると共に使用者の記録に最も近い記録情報を表示部に表示することができる。これにより、情報記憶媒体に保存されている情報内容と表示部の表示内容との不一致を防止することができ、もって使用者が情報記憶媒体に保存されている情報内容を容易且つ正確に認識することができる。
【００１５】
請求項４記載の記録再生装置及び請求項２４記載の記録再生方法によれば、前記記録再生装置への電力供給を遮断するときには電力供給の遮断前に、生成された画像データ及び生成された画像データのうち最新の画像データに基づいて生成されたビットマップデータを情報記憶媒体に転送し、表示部に表示されたデータを転送されたビップマップデータに書き換えるように書き換え手段を制御するので、表示部を情報記憶媒体の最新の状況に合わせて頻繁に更新することができると共に、表示部の書き換えによって発生する処理時間の増大を防止することができる。これにより、情報記憶媒体に保存されている情報内容と表示部の表示内容との不一致を防止することができ、もって使用者が情報記憶媒体に保存されている情報内容を容易且つ正確に認識することができる。
【００１６】
請求項５記載の記録再生装置及び請求項２５記載の記録再生方法によれば、情報記憶媒体が取り外される可能性を検出したときは、生成された画像データ及び生成された画像データのうち最新の画像データに基づいて生成されたビットマップデータを情報記憶媒体に転送し、表示部に表示されたデータを転送されたビップマップデータに書き換えるように書き換え手段を制御するので、表示部を情報記憶媒体の最新の状況に合わせて頻繁に更新することができると共に、表示部の書き換えによって発生する処理時間の増大を防止することができる。これにより、情報記憶媒体に保存されている情報内容と表示部の表示内容との不一致を防止することができ、もって使用者が情報記憶媒体に保存されている情報内容を容易且つ正確に認識することができる。
【００１７】
請求項６記載の記録再生装置及び請求項２６記載の記録再生方法によれば、表示部に表示されたデータのファイル名を含むラベル情報ファイルを生成し、生成されたラベル情報ファイルを情報記憶媒体に転送するので、ラベル情報ファイルを読み取ることが可能となり、情報記憶媒体に保存されている情報内容と表示部の表示内容とを比較することができ、もって情報記憶媒体に保存されている情報内容と表示部の表示内容との不一致を防止することができる。
【００１８】
請求項７記載の記録再生装置及び請求項２７記載の記録再生方法によれば、生成されたラベル情報ファイルよりも後に生成された他のラベル情報ファイルが記憶部に記録されたときは、表示部に表示されたデータを他のラベル情報ファイルから生成された情報に書き換えるように書き換え手段を制御するので、情報記憶媒体に保存されている情報内容と表示部の表示内容との不一致を防止することができ、もって使用者が情報記憶媒体に保存されている情報内容を容易且つ正確に認識することができる。
【００１９】
請求項８記載の記録再生装置及び請求項２８記載の記録再生方法によれば、生成されたラベル情報ファイルが記憶部に記録されていないときは、警告を発するので、情報記憶媒体に保存されている情報内容と表示部の表示内容との不一致を早急に解決することができる。
【００２０】
請求項９記載の記録再生装置及び請求項２９記載の記録再生方法によれば、記録再生装置への電力供給がなされたときは、警告を発するので、情報記憶媒体に記録された記録情報と表示部の表示内容との不一致を早急に解決することができる。
【００２１】
請求項１０記載の記録再生装置及び請求項３０記載の記録再生方法によれば、情報記憶媒体が取り外される可能性を検出したときは、警告を発するので、情報記憶媒体に記録された記録情報と表示部の表示内容との不一致を早急に解決することができる。
【００２２】
請求項１１記載の記録再生装置及び請求項３１記載の記録再生方法によれば、ラベル情報ファイルが記憶部に記録されていないときは、表示部に表示されたデータを消去するので、情報記憶媒体に記録された記録情報と表示部の表示内容との不一致を早急に解決することができる。
【００２３】
請求項１２記載の記録再生装置及び請求項３２記載の記録再生方法によれば、記録再生装置への電力供給がなされたときは、表示部に表示されたデータを消去するので、情報記憶媒体に記録された記録情報と表示部の表示内容との不一致を早急に解決することができる。
【００２４】
請求項１３記載の記録再生装置及び請求項３３記載の記録再生方法によれば、情報記憶媒体が取り外される可能性を検出したときは、表示部に表示されたデータを消去するので、情報記憶媒体に記録された記録情報と表示部の表示内容との不一致を早急かつ自動的に解決することができる。
【００２５】
請求項１４記載の記録再生装置及び請求項３４記載の記録再生方法によれば、消去されるファイルがラベル情報ファイルに含まれているときは警告を発するので、情報記憶媒体に記録された記録情報と表示部の表示内容との不一致を防止することができる。
【００２６】
請求項１５記載の記録再生装置及び請求項３５記載の記録再生方法によれば、消去されるファイルから生成されたデータを表示部から消去するので、情報記憶媒体に記録された記録情報と表示部の表示内容との不一致を自動的に防止することができる。
【００２７】
請求項１６記載の記録再生装置及び請求項３６記載の記録再生方法によれば、情報記憶媒体を初期化するときはデータを表示部から消去するので、情報記憶媒体に記録された記録情報と表示部の表示内容との不一致を自動的に防止することができる。
【００２８】
請求項１７記載の記録再生装置及び請求項３７記載の記録再生方法によれば、画像データがディスプレイに表示された状態で使用者からの指示が検知されたときは、画像データに関する情報が表示部に表示されるように書き換え手段を制御するので、情報記憶媒体に保存されている情報内容と表示部の表示内容との不一致を防止することができると共に使用者の記録に最も近い記録情報を表示部に表示することができる。
【００２９】
請求項１８記載の記録再生装置及び請求項３８記載の記録再生方法によれば、ディスプレイに表示された画像データが複数の縮小画像であるときは、複数の縮小画像の全てが表示部に表示されるように書き換え手段を制御するので、情報記憶媒体に保存されている情報内容と表示部の表示内容との不一致を防止することができると共に、使用者の記録に最も近い記録情報を表示部に表示することができ、かつ情報量のより多いラベル画像を実現することができる。
【００３０】
請求項１９記載の記録再生装置及び請求項３９記載の記録再生方法によれば、情報記憶媒体に転送された所定の情報が表示部に表示されたときは、転送された所定の情報のファイルをライトプロテクト設定するので、情報記憶媒体内に存在する情報を生成するため使用したファイルを不用意に書き換えられたり、消去されることを防止することができる。これにより、情報記憶媒体に保存されている情報内容と表示部の表示内容との不一致を防止することができ、もって使用者が情報記憶媒体に保存されている情報内容を容易且つ正確に認識することができる。
【００３１】
請求項２０記載の記録再生装置及び請求項４０記載の記録再生方法によれば、表示部に表示された情報を表示するので、情報記憶媒体を記録再生装置から抜き取ることなしに、使用者がラベル画像を確認することができる。これは、情報記憶媒体を記録再生装置に装着している状態においては、使用者は情報記憶媒体の表示部を見ることができないこと、さらに表示部が頻繁に書き換えられる場合に使用者が情報記憶媒体の表示部がどのような状態であるかを忘れてしまうことにより使用者が情報記憶媒体の夫々を容易に認識することができ、使い勝手の良い記録再生装置を実現する。
【００３２】
請求項２１記載の記録再生装置及び請求項４１記載の記録再生方法によれば、表示部に表示された情報が書き換えられるときは、表示部が表示している情報と表示部が表示しようとしている情報とを表示するので、使用者は情報記憶媒体を記録再生装置から抜き取ることなしに書き換え前の表示部と書き換え後のラベル画像を認識することができる。これにより、使用者は、表示部を書き換えること、書き換え前の表示部、書き換え後の表示部の全てを認識することが可能となり、使用者が情報記憶媒体の夫々を容易に認識することができ、使い勝手の良い記録再生装置を実現する。
【００３３】
請求項４４記載の情報記憶媒体によれば、表示部の有無、表示部の数、及び表示部が表示可能なデータサイズのいずれかを出力するので、情報記憶媒体が装着された記録再生装置は、表示部の有無、表示部の数、及び表示部が表示可能なデータサイズ等の情報記憶媒体の属性情報を読み出すことができ、もって情報記憶媒体に対する既存のアクセス方法を用いて情報記憶媒体の属性情報を利用して表示部へのアクセスを実現し、着脱可能である情報記憶媒体の特定の装置以外での書き換えによる情報記憶媒体に記録された記録情報と表示部の表示内容との不一致を防止して、互換性の優れた記録システムを実現することができる。
【００３４】
さらに、情報記憶媒体が装着された記録再生装置は表示部への記録を行う、行わない、表示部の数に合わせて表示部に記録する情報の構成を最適化すること、表示部への記録を行う場合に作成するビットマップデータのサイズを媒体ごとに最適なサイズで作成することができる。
【００３５】
請求項４５記載の情報記憶媒体によれば、記録部により記録された情報をブロック単位で表示部に転送するので、記録素子へのデータ転送に最適化された記録再生装置に装着された場合であっても、表示部へのデータ転送を容易に実現することができ、もって互換性の優れた記録システムを実現することができる。
【００３６】
請求項４６記載の情報記憶媒体によれば、ブロック単位のうち特定のブロックを指定する論理ブロックアドレスを使用することにより情報転送先を指定するので、表示部を有する情報記憶媒体を想定していない従来の記録再生装置に装着された場合であっても、表示部へのデータ転送を容易に実現することができ、互換性の優れた記録システムを実現することができる。
【発明を実施するための最良の形態】
【００３７】
以下、本発明の実施の形態を図面を参照しながら説明する。
【００３８】
図１は、本発明の実施の形態に係る情報記憶媒体の斜視図であり、（ａ）は表側から見た場合を示し、（ｂ）は裏側から見た場合を示す。
【００３９】
図１において、本発明の実施の形態に係る情報記憶媒体としてのメモリカード１００は、カード筐体１と、カード筐体１の側面に配置され、ホスト装置としての後述する図３のデジタルカメラ５００と電気的に接続されるコネクタ２と、カード筐体１の表側に配置された表示部（ラベル）３（図１（ａ））と、カード筐体１の裏側に配置された表示部（ラベル）４（図１（ｂ））とを備える。
【００４０】
カード筐体１は、その内部にフラッシュメモリ等の不揮発性記録デバイスやコントローラ等を内蔵する。表示部３，４は電子ペーパーや液晶表示装置等で構成される書き換え可能な表示デバイスである。
【００４１】
メモリカード１００は、情報記録を実行するための信号をコネクタ２を介してデジタルカメラ５００から受信する。
【００４２】
図２は、図１のメモリカードの内部構成を概略的に示すブロック図である。
【００４３】
図２において、メモリカード１００は、カード筐体１の側部に配置されたコネクタ２に接続されたインターフェース回路１２と、インターフェース回路１２に接続された表示部データ記録領域（記録部）１１、データバッファ１３、メモリ１４、及びコントローラ１５と、表示部データ記録領域１１及びコントローラ１５に接続された表示制御部（書き換え手段）１０と、表示制御部１０に接続された表示部３及び表示部４とを備える。さらに、表示部データ記録領域１１、インターフェース回路１２、及びメモリ１４は、夫々データバッファ１３と接続されている。
【００４４】
インターフェース回路１２は、デジタルカメラ５００及びデータバッファ１３間においてデータを伝達すると共に、デジタルカメラ５００及びコントローラ１５間において制御信号を伝達する。コントローラ１５は、デジタルカメラ５００からコネクタ２及びインターフェース回路１２を経由して受け取ったコマンドを解釈し、データバッファ１３及びメモリ１４を制御することにより、デジタルカメラ５００から受け取ったデータをメモリ１４に書き込むと共に、メモリ１４に記録されているデータをデジタルカメラ５００に出力する。コマンドやデータの通信方式として、ＡＴＡやＳＤといった規格で決められたプロトコルを用いる。
【００４５】
図３は、本発明の実施の形態に係る記録再生装置の構成を概略的に示すブロック図である。
【００４６】
図３において、本発明の実施の形態に係る記録再生装置としてのデジタルカメラ５００は、被写体像を結像するレンズ１０１９と、レンズ１０１９により結像された被写体像をアナログ画像データとして出力する撮像センサ１００９と、アナログ画像データを画像として表示するディスプレイ１０１１と、メモリカード１００のコネクタ２が着脱自在に結合されるソケット１００８と、デジタルカメラ５００の動作のプログラムを格納するＲＯＭ１００４と、後述するＣＰＵ１００３がプログラムを実行する際のワークデータを保持し、デジタルカメラ５００の撮影動作によって生成される画像データやディスプレイ１０１１に表示する画像データを保持するＤＲＡＭ１００６と、システム電源からデジタルカメラ５００全体への電力を供給する電源回路１０３２と、後述するデジタルカメラシステムＬＳＩ１０２４とを備える。ＲＯＭ１００４とソケット１００８はＲＯＭデータバス１０２０に接続されている。
【００４７】
デジタルカメラ５００は、また、デジタルカメラ５００の動作モード、即ち撮影モードか再生モードかをユーザーが指定するためのモードスイッチ１０２１と、メモリカード１００の表示部３，４への書き込みに関する操作を行うラベル書き込みスイッチ１０３０と、ユーザーがデジタルカメラ５００に対する指示を入力するための十字キーやセットボタン、キャンセルボタン等複数のスイッチで構成される操作スイッチ１０２２と、撮像時に撮像開始を指示するシャッタースイッチ１０２３と、メモリカード１００を挿入する部分のふたが開いているか閉じているかを判定するふた検出スイッチ１０１８と、デジタルカメラ５００の電源オンオフを決定する電源スイッチ１０３１とを備える。電源スイッチ１０３１は、電源回路１０３２に接続されている。
【００４８】
デジタルカメラシステムＬＳＩ１０２４は、撮像センサ１００９にＡＤコンバータ１０２８を介して接続され、撮像センサ１００９から出力されたアナログ画像データに基づいてデジタル画像データを生成する撮像回路１０１０と、ＤＲＡＭ１００６のデジタル画像データからディスプレイ１０１１で表示すべきデジタル画像データを生成する表示回路１０１２と、撮像回路１０１０及び表示回路１０１２に接続された第１の調停回路１０１７と、生成されたデジタル画像データをアナログ画像データに変換して出力するＤＡコンバータ１０２９とを備え、撮像回路１０１０及び表示回路１０１２は、互いに画像データバス１００２を介して接続されている。
【００４９】
デジタルカメラシステムＬＳＩ１０２４は、また、ＲＯＭデータバス１０２０にマルチプレクサ１０１６を介して接続されたメモリカードコントローラ１０１３及びＲＯＭコントローラ１０１５と、メモリカードコントローラ１０１３及びＲＯＭコントローラ１０１５間に接続された第２の調停回路１０１４と、夫々直列に接続された、ＩＯ１０２５、割り込みコントローラ１０２６、及びＣＰＵ１００３とを備え、これらはＣＰＵデータバス１００１を介して互いに接続されている。
【００５０】
デジタルカメラシステムＬＳＩ１０２４は、さらに、ＤＲＡＭ１００６に接続されると共に、ＣＰＵデータバス１００１と画像データバス１００２を互いに接続するメモリコントローラ１００５を備える。
【００５１】
モードスイッチ１０２１、ラベル書き込みスイッチ１０３０、操作スイッチ１０２２、シャッタースイッチ１０２３、ふた検出スイッチ１０１８、及び電源スイッチ１０３１は、デジタルカメラシステムＬＳＩ１０２４におけるＩＯ１０２５に接続されている。
【００５２】
メモリカードコントローラ１０１３は、メモリカード１００にコマンド発行及びデータ転送をすると共に、メモリカード１００に発行されたコマンドがデータ線のビット幅が許容する数で定義されるため、コマンドを示す数を送信するように構成されている。
【００５３】
第１の調停回路１０１７は、バスマスタとしての撮影回路１０１０及び表示回路１０１２からのデータ転送の要求を調停する。
【００５４】
画像データバス１００２は、バスマスタとしての撮影回路１０１０や表示回路１０１２からの要求に応じて、撮影又は画像の再生時に画像データを伝送する。
【００５５】
第２の調停回路１０１４は、メモリカードコントローラ１０１３及びＲＯＭコントローラ１０１５のいずれか一方にバス使用権を与える。メモリカードコントローラ１０１３及びＲＯＭコントローラ１０１５のいずれかがバス使用権を得ると、マルチプレクサ１０１６を介してＲＯＭバス１０２０を使用することが可能となり、ＲＯＭコントローラ１０１５はＲＯＭ１００４に、メモリカードコントローラ１０１３はメモリカード１００にアクセスすることが可能となる。
【００５６】
ＣＰＵデータバス１００１は、バスマスタとしてのＣＰＵ１００３が実行する動作に関してＣＰＵ１００３からの要求に応じてデータや制御信号を伝送する。
【００５７】
メモリコントローラ１００５は、ＣＰＵデータバス１００１及び画像データバス１００２の夫々からＤＲＡＭ１００６へのアクセス要求を受け、これを調停しながらＤＲＡＭ１００６へのアクセス信号を生成し、ＤＲＡＭ１００６へのデータの書き込みやＤＲＡＭ１００６からのデータの読み出しを実行する。
【００５８】
割り込みコントローラ１０２６は、デジタルカメラ５００内の各モジュールから入力された割り込み要求信号を予め設定された設定値に基づいて処理して出力する。
【００５９】
ＣＰＵ１００３は、割り込み要求入力端子に割り込みコントローラ１０２６の出力が接続され、カメラのシーケンスを制御する。
【００６０】
デジタルカメラ５００は、システム各部からＣＰＵ１００３に対して割り込み要求を発生することができる。例えば、ふた検知スイッチ１０１８がふたが開いたことを検知した場合に、これを要因としてＣＰＵ１００３に対して割り込み要求信号を発生することができる。
【００６１】
電源回路１０３２は、ＩＯ１０２５と電源スイッチ１０３１により制御され、電源スイッチ１０３１が押されている間、又はＩＯ１０２５から供給される信号がイネーブルである間、システム電源からデジタルカメラ５００全体に電力を供給するよう構成されている。
【００６２】
例えば、電源がオフである状態において電源スイッチ１０３１が押されると、電源回路１０３２は電源スイッチ１０３１が押されている間、デジタルカメラ５００全体に電力を供給し、割り込みコントローラ１０２６は電源がオンになると直ぐに電源回路１０３２への制御信号をイネーブルする。これにより、使用者が電源スイッチ１０３１を押すことをやめてもデジタルカメラ５００は電源オン状態を保持する。電源オン状態で電源スイッチ１０３１が再び押された場合、デジタルカメラ５００はシャットダウン処理を行い、これが完了したら制御信号をディスエーブルする。これにより、デジタルカメラ５００の電源は遮断される。
【００６３】
デジタルカメラ５００は、データの書き込みを行うときに、メモリカード１００に対して論理ブロックアドレス及び転送ブロック数を指定してライトコマンドを発行する。このとき、コントローラ１５は、デジタルカメラ５００から受け取ってデータバッファ１３に書き込まれたデータをメモリ１４の指定された論理ブロックアドレスに相当する領域に記録する。
【００６４】
また、デジタルカメラ５００は、データの読み出しを行うときに、メモリカード１００に対して論理ブロックアドレス及び転送ブロック数を指定してリードコマンドを発行する。このとき、コントローラ１５は、メモリ１４の指定された論理ブロックアドレスに相当する領域に記録されたデータをデータバッファ１３に転送し、さらにこの転送されたデータをコネクタ２を経由してデジタルカメラ５００に出力する。
【００６５】
デジタルカメラ５００からデバイス認識コマンドを受け取ったメモリカード１００は、メモリカード１００が備える機能に関する情報をデジタルカメラ５００に出力する。例えば、メモリカード１００は、デバイス認識コマンドを受け取った場合、従来のメモリカードがデジタルカメラ５００に対して出力していた書き込み可能なデータ領域のサイズや定義された制御モードをサポートしているか等の情報に加えて、書き換え可能な表示部３，４の有無情報、ラベル枚数情報（本実施の形態では２個）、及びラベルサイズ情報（例えば、縦のドット数、横のドット数）等の表示部３，４に関する情報についても出力する。
【００６６】
デジタルカメラ５００は、まず、夫々後述する、図４のラベル認識処理、及び図５のラベル書き込み処理を実行する。
【００６７】
図４は、図３のデジタルカメラによって実行されるラベル認識処理の手順を示すフローチャートである。
【００６８】
図４において、デジタルカメラ５００は、装着されたメモリカード１００がラベル機能を有するかを調べるため、デバイス認識コマンドをメモリカード１００に対して発行し（ステップＳ１０１）、メモリカード１００から出力されたメモリカード１００のデバイス情報を取得し（ステップＳ１０２）、取得したデバイス情報の中にラベル機能に関する項目があるか否かを判別し（ステップＳ１０３）、ラベル機能に関する項目があるときは、ラベル枚数情報、ラベルサイズ情報を取得して（ステップＳ１０４）、本処理を終了する。ステップＳ１０３の判別の結果、ラベル機能に関する項目がないときは、ステップＳ１０４をスキップして、本処理を終了する。
【００６９】
図５は、図３のデジタルカメラによって実行されるラベル書き込み処理の手順を示すフローチャートである。
【００７０】
本処理は、ラベル領域を有するメモリカード１００に対して実行されるものであり、図４のラベル認識処理のステップＳ１０３の判別において、ラベル機能があると判定されたときのみ実行される。
【００７１】
図５において、デジタルカメラ５００は、表示部３，４に書き込む画像データをビットマップに展開し（ステップＳ１１１）、ラベル書き込みコマンドを発行し（ステップＳ１１２）、ビットマップデータを全て送信して（ステップＳ１１３）（情報転送手段）、本処理を終了する。
【００７２】
メモリカード１００は、デジタルカメラ５００からラベル書き込みコマンドを受け取った場合、デジタルカメラ５００から受け取ったビットマップデータを表示部データ記録領域１１に記録し、表示制御部１０が表示部３，４を制御することにより表示部データ記録領域１１に書き込まれたビットマップデータをラベル画像として表示部３，４に表示させる（制御手段）。
【００７３】
また、メモリカード１００は、表示部３，４への記録再生のために通常のデータ記録再生のためのインターフェース及びプロトコルを使用する。メモリカード１００のデータバスは、１６ビットのデータ線、アドレス線、及び制御信号線等から構成され、書き換え可能な表示部３，４へのアクセス専用信号は備えていない。
【００７４】
また、表示部３，４の総ドット数は、表示部データ記録領域１１に書き込まれたビットマップ画像データのブロックサイズの整数（ｎ）倍である。これは、多くのデジタルカメラ５００が直接メモリアクセスチャネル（ＤＭＡ）を備え、データ転送単位としてブロックサイズを使用するためである。表示部３，４の総ドット数をビットマップデータのブロックサイズの整数倍とし、表示部３，４に対するデータ転送単位をビットマップデータのブロックサイズの整数倍とすることにより、デジタルカメラ５００は通常のデータ書き込み方法でビットマップデータをメモリカード１００に転送することができる。
【００７５】
以上のように、メモリカード１００は、デバイス認識コマンドに対するデバイス情報を拡張して、ラベル枚数、ラベルサイズを表示し、また、ラベルサイズを表示部データ記録領域１１に書き込まれたビットマップデータのブロックサイズの整数倍とすることにより、従来のデジタルカメラ５００や旧式のＰＣ等を用いてデータ転送を行うことができる。また、従来のデジタルカメラ５００や旧式のＰＣ等の制御プログラムにラベル書き込みコマンドの発行プログラムを追加することにより、表示部３，４への書き込みが可能となる。従って、従来のデジタルカメラ５００や旧式のＰＣ等においても、発行プログラムの追加により表示部３，４の書き換えが可能となる。
【００７６】
表示部３，４へのデータ転送に関して、他の方法を以下に示す。
【００７７】
メモリカード１００において、メモリ領域、ラベル情報領域を所定の論理ブロックアドレスに配置する。ラベル書き込み時は論理ブロックアドレスを指定し、通常のライトコマンドにより書き込みを行う。この場合、メモリカード１００の互換性を保つことができ、さらには、ラベル情報領域を不揮発性メモリで構成した場合、ラベル情報領域をデータ記録領域として使用することも可能である。
【００７８】
複数のメモリカード１００を所有する場合、それぞれのメモリカード１００を各々認識する必要がある。しかし、表示部３，４の書き換えを頻繁に行った場合、メモリカード１００を判別することが困難となる。従って、表示部３，４に書き換えを行わない部分を設けるのが好ましい。例えば、本実施の形態のメモリカード１００について、表側（図１（ａ））にはサムネール画像を、裏側（図１（ｂ））にはメモリカード１００の銘柄及び記録容量を表示する。
【００７９】
さらに、カード裏面には、メモリカード１００の各々を認識するための情報を表示す
るのが好ましい。例えば、メモリカード１００ごとに異なる色を決定し、これをラベルの裏面の一部に書き込み、その後、この部分は書き換えないように制御する。これにより、使用者はメモリカード１００の各々を識別することが可能となる。
【００８０】
以下、デジタルカメラ５００の表示部３，４の書き換え処理について説明する。
【００８１】
デジタルカメラ５００は、表示部３，４の書き換え処理に関して、下記３つのモードのいずれかを選択し、選択されたモードが設定されるように構成されている。
（１）撮影毎にラベル書き込みを行うモード
撮影毎にラベル書き込みを行う場合、メモリカード１００の表示部３，４はメモリカード１００に保存されている最新の情報内容を示すので、使用者はメモリカード１００の表示部３，４とメモリカード１００に保存されている最新の情報内容の照合を容易にすることができ、もってメモリカード１００にどのような画像ファイルが含まれているかを容易に認識することができる。
【００８２】
図６は、図３のデジタルカメラによって実行される撮影時におけるラベル書き換え処理の手順を示すフローチャートである。
【００８３】
図６において、デジタルカメラ５００は、ラベル書き換え処理を開始する前に、メモリカード１００に対してデバイス認識コマンドを発行し、表示部３，４の存在及びサイズに関する情報を取得し、この情報をＤＲＡＭ１００６に記録しておく。
【００８４】
デジタルカメラ５００は、シャッタースイッチ１０２３が押されているかどうかを判別し（ステップＳ２０１）、シャッタースイッチ１０２３が押されているときは、撮像回路１０１０を起動することにより撮像処理を開始して（ステップＳ２０２）、撮像センサ１００９に結像された被写体像から生成された画像データをＤＲＡＭ１００６に記録し、メモリカードコントローラ１０１３を起動して、生成された画像データをメモリカード１００にＤＭＡ（ダイレクトメモリアクセス）回路を介して転送することにより（情報転送手段）、生成された画像データをファイルとしてメモリカード１００に記録する（ステップＳ２０３）。
【００８５】
さらに、デジタルカメラ５００は、生成された画像データを間引き処理することにより、予め取得してあるラベルサイズに相当するビットマップ画像データにファイル名、ファイル生成日時、メモリカード１００の残容量をビットマップ化して並べて配置して、一枚のビットマップデータを生成し（ステップＳ２０４）（ビットマップデータ生成手段）、メモリカード１００に対してラベル書き込みコマンドを発行し（ステップＳ２０５）、生成されたビットマップデータをメモリカード１００に転送し（ステップＳ２０６）（情報転送手段）、表示回路１０１２を起動することにより表示部３，４の画像（以下、ラベル画像とする）をディスプレイ１０１１に表示し（ステップＳ２０７）、ラベル画像の生成に使用された画像ファイルの名前を含むファイル（以下、ラベル情報ファイルとする）をメモリカード１００に記録し（ステップＳ２０８）、その後、ステップＳ２０１〜ステップＳ２０８の処理を繰返して、本処理を終了する。
【００８６】
図６の処理によれば、使用者はメモリカード１００の表示部３，４とメモリカード１００内の最新情報との照合を容易にすることができ、もってメモリカード１００にどのような画像ファイルが含まれているかを容易に認識することができる。
【００８７】
ここでは撮影が行われた場合に毎回メモリカードのラベルの書き換えを行っているが、例えば連写のように画像ファイルの生成が一定の間繰り返し行われる状況がある。この場合は撮影直後にラベルの書き換えを行っても次の撮影によってラベルを書き換える必要が必ず生ずる。よって撮影ごとにラベルを書き換える行為は無駄がある。
【００８８】
この場合は、その行為の最後、例えば連写の場合はシャッタースイッチが押されている間に行われる撮影に関してはラベルの書き換えを行わず、シャッタースイッチが離され、最後に行われる撮影においてのみメモリカードのラベルの書き換えを行うとよい。
（２）パワーオフされるとき、又はメモリカード１００のふたが開かれたときにラベル書き込みを行うモード
撮影ごとに毎回ラベル書き込みを行うモードでは、使用者が連続して撮影を行ったとき、メモリカード１００へのラベル情報書き込みに時間を要し、撮影後次の撮影が可能になるまでの時間が長くなるため、シャッターチャンスを逃してしまうことがある。
【００８９】
そこで、デジタルカメラ５００が、メモリカード１００が抜かれることが予想されるとき、又はメモリカード１００のふたが開かれたときにのみ、後述する図７のシャットダウン処理を実行してラベル情報書き込みを行い、上記問題を解決することが可能となる。
【００９０】
図７は、図３のデジタルカメラによって実行されるシャットダウン処理の手順を示すフローチャートである。
【００９１】
デジタルカメラ５００は、電源供給状態において電源スイッチ１０３１が押されたとき、又はメモリカード１００のふたが開かれ、ふた検出スイッチ１０１８がふたが開いていることを検出した場合、図７のシャットダウン処理を開始する。
【００９２】
図７において、デジタルカメラ５００は、メモリカード１００に書き込み中（メモリカード１００へのデータ記録を行っている）かどうかを判別し（ステップＳ３０１）、書き込み中であった場合は、書き込み終了後、メモリカード１００内に記録された画像ファイルのうち、最新の画像ファイルを見つけ出し、最新の画像ファイルとラベル情報ファイルを照合することにより、ラベル情報ファイルより新しい画像ファイルがメモリカード１００内に記録されているかどうかを判別し（ステップＳ３０２）、ラベル情報ファイルより新しい（後に生成された）画像ファイルが記録されている場合は、最新の画像ファイルに保存された画像データをＤＲＡＭ１００６に展開し、画像を間引くことにより縮小画像を生成し、生成された縮小画像に合わせてファイル名、ファイル生成日時、メモリカード１００の残容量を示す文字をビットマップ化し、一枚のビットマップデータを予め読み取っているラベルサイズで生成する（ステップＳ３０３）。
【００９３】
さらに、デジタルカメラ５００は、メモリカード１００に対してラベル書き込みコマンドを発行し（ステップＳ３０４）、生成したビットマップデータをメモリカード１００に転送し（ステップＳ３０５）、転送（書き込み）が終了したことを判定して（ステップＳ３０６）、ラベル情報ファイルのファイル名をラベル画像の生成に使用された画像ファイルのファイル名に更新してメモリカード１００に記録した後（ステップＳ３０７）、電源制御信号をディスエーブルすることにより電源を遮断して動作を停止して（ステップＳ３０８）、本処理を終了する。
【００９４】
デジタルカメラ５００は、ステップＳ３０２の判別の結果、ラベル画像より後に撮影されたファイルが無いと判定した場合は、ステップＳ３０３〜ステップＳ３０７の処理をスキップして、電源制御信号をディスエーブルすることにより電源を遮断して動作を停止して（ステップＳ３０８）、本処理を終了する。
【００９５】
図７の処理によれば、使用者が連続して撮影を行ったときでも、シャッターチャンスを逃してしまうことを防止することができる。
（３）再生時に使用者の操作によってラベル書き込みを行うモード
ラベル画像は使用者がメモリカード１００を区別するために使用するものである。従って、ラベル画像は使用者の意思によって書き込むことが望まれる場合もある。
【００９６】
使用者が自己の意思によりラベル画像の書き換えを行いたいと望む場合、デジタルカメラ５００は、再生時に使用者の操作によってラベル書き込みを行うモードに設定され、即ちモードスイッチ１０２１が再生モードに設定され、撮影した画像をディスプレイ１０１１に表示する後述する図８の再生モード処理を実行する。
【００９７】
図８は、図３のデジタルカメラによって実行される再生モード処理の手順を示すフローチャートである。
【００９８】
図８において、デジタルカメラ５００は、再生する画像ファイルを示す変数に最新の画像ファイルの変数をセットし（ステップＳ４０１）、セットされた変数が示す画像ファイルを読み出して、読み出された画像ファイルに保存された画像データをＤＲＡＭ１００６に展開し（ステップＳ４０２）、表示回路１０１２を起動して展開した画像データをディスプレイ１０１１に表示する（ステップＳ４０３）。
【００９９】
次に、デジタルカメラ５００は、操作スイッチ１０２２の状況をチェックして、使用者により操作スイッチ１０２２が押されたか否かを判別し（ステップＳ４０４）、使用者により操作スイッチ１０２２が押されたと判定した場合は、使用者によりラベル書き込みスイッチ１０３０が押されたか否かを判別し（ステップＳ４０５）、使用者によりラベル書き込みスイッチ１０３０が押されたと判定した場合は、ラベル情報ファイル、即ちラベル画像の生成に使用された画像ファイルの名前を含むファイルを読み出し（ステップＳ４０６）、読み出されたラベル情報ファイルに保存された画像データをＤＲＡＭ１００６に展開し（ステップＳ４０７）、展開された画像データに合わせてファイル名、ファイル生成日時、メモリカード１００の残容量を示す文字をビットマップ化し、新たなラベル画像となるビットマップデータを生成し、新たに記録しようとしているラベル画像（図９におけるＢ）と、現在のラベル画像（図９におけるＡ）とをディスプレイ１０１１に並べて表示する（ステップＳ４０８）。これにより、使用者は、ラベル画像を書き換えることができると共に現在のラベル画像と新たに記録しようとしているラベル画像とを認識することができ、もってラベル画像が書き換えられることにより生じるメモリカード１００の誤認識を防止することができる。
【０１００】
さらに、デジタルカメラ５００は、ラベル画像の書き込みを行うことを確認する旨のメッセージを表示し、使用者により操作スイッチ１０２２のオンボタンが押されたか否かを判別し（ステップＳ４０９）、操作スイッチ１０２２のオンボタンが押された場合は、メモリカード１００にラベル記録コマンドを発行して（ステップＳ４１０）、生成したビットマップデータをメモリカード１００に転送し、ビットマップデータを生成するときに使用したファイルに対し、これの属性情報にライトプロテクトフラグを記録し（ステップＳ４１１）（ライトプロテクト設定手段）、ラベル情報ファイルをラベル画像生成に使用された画像ファイルのファイル名に更新してメモリカード１００に記録し（ステップＳ４１２）、その後、ステップＳ４０４〜ステップＳ４１２の処理を繰返して、本処理を終了する。
【０１０１】
また、デジタルカメラ５００は、ステップＳ４０４の判別の結果、使用者により操作スイッチ１０２２が押されたと判定した場合、操作スイッチ１０２２が画像送りを指示しているときは、これから表示するファイルを示す変数に１を加算し（ステップＳ４２０）、操作スイッチ１０２２が画像戻しを指示しているときは、これから表示するファイルを示す変数から１を減算し（ステップＳ４２１）、操作スイッチ１０２２が画像拡大を指示しているときは、表示回路に画像間引きを少なくするよう指示し（ステップＳ４２２）、操作スイッチが画像縮小を指示しているときは、表示回路に画像間引きを多くするよう指示し（ステップＳ４２３）、操作スイッチがサムネール表示を指示しているときは、９画像分のファイルから縮小画像を作成し、作成された縮小画像が１画面に９個並ぶようにＤＲＡＭ１００６上にデータを配置する（ステップＳ４２４）。デジタルカメラ５００は、ステップＳ４２０〜４２４の処理の後、ステップＳ４０３に戻り、ステップＳ４２３及びステップＳ４２４の指示どおりに画像をディスプレイ１０１１に表示する。
【０１０２】
図８の処理によれば、ライトプロテクトフラグを記録する（ステップＳ４１１）ことにより、メモリカード１００をデジタルカメラ５００以外のホスト装置（例えばＰＣ等）を用いて取り扱う場合においても、使用者による不用意なファイルの消去を防止することができ、ラベル画像とファイルとの不一致を防止することができる。仮に、使用者がライトプロテクトを解除してファイルを消去した場合は、使用者がファイルがライトプロテクトされている理由を考えることにより、ラベル画像とファイル等との不一致が発生することを連想することができる。
【０１０３】
また、デジタルカメラ５００は、パワーオン又はカード挿入時において、ラベル画像とファイルとの不一致が起こっているか否かをチェックすべく後述する図１０の警告表示処理を実行する。
【０１０４】
図１０は、図３のデジタルカメラによって実行される警告表示処理の手順を示すフローチャートである。
【０１０５】
図１０において、デジタルカメラ５００は、電源がオンされたとき、またはメモリカード１００のふたが閉じられたとき、デバイス認識コマンドを発行し（ステップＳ５０１）、デバイス認識情報を読み出して（ステップＳ５０２）、メモリカード１００の表示部３，４にラベル画像が存在するか否かを判別する（ステップＳ５０３）。
【０１０６】
デジタルカメラ５００は、ステップＳ５０３の判別の結果、表示部３，４にラベル画像が存在すると判定した場合、メモリカード１００から読み出されたラベル情報ファイルからラベル画像の生成に使用されたファイルのファイル名を読み出し（ステップＳ５０４）、ラベル画像の生成に使用されたファイルがメモリカード１００内に記録されているかどうかを判別する（ステップＳ５０５）。ステップＳ５０５の判別の結果、ラベル画像生成に使用されたファイルが記録されていないと判定した場合、ディスプレイ１０１１にラベル画像生成に使用されたファイルが記録されていない旨を警告表示して（ステップＳ５０６）、本処理を終了する。一方、ステップＳ５０５の判別の結果、ラベル画像生成に使用されたファイルが記録されていると判定した場合は、ステップＳ５０６をスキップして、本処理を終了する。
【０１０７】
ステップＳ５０３の判別の結果、表示部３，４にラベル画像が存在しないと判定した場合は、ステップＳ５０４〜ステップＳ５０６をスキップして、本処理を終了する。
【０１０８】
使用者は、ステップＳ５０６における警告表示により、ラベル画像生成に使用されたファイルがメモリカード１００内に記録されていないことに気づく。このとき、使用者はモードスイッチ１０２１を再生モードに設定してラベル書き込みスイッチ１０３０を押すことにより（検知手段）、メモリカード１００に対して新たにラベル画像を書き込むことができ、また、ラベル画像とメモリカード１００内の情報内容とが不一致であることを知った上で、ラベル画像を書き換えずにデジタルカメラ５００を使用することもできる。
【０１０９】
また、デジタルカメラ５００は、後述する図１１のファイル消去手段を実行してファイルの消去を行うこともできるが、仮に、消去対象のファイルが表示部３，４に表示されているラベル画像のファイルであった場合、ラベル画像とファイルの不一致を防止するためにラベル画像も消去すべきである。
【０１１０】
図１１は、図３のデジタルカメラによって実行されるファイル消去処理の手順を示すフローチャートである。
【０１１１】
デジタルカメラ５００は、使用者が選択したファイルの消去を指令された場合、ラベル情報ファイルよりラベル画像を生成するために使用したファイルのファイル名を読み出し（ステップＳ６０１）、ラベル画像を生成するために使用したファイルのファイル名と消去対象ファイルのファイル名とが一致しているか否かを判別し（ステップＳ６０２）、ステップＳ６０２の判別の結果、一致していないと判定した場合は、対象ファイルを消去して（ステップＳ６０６）（ファイル消去手段）、本処理を終了する。
【０１１２】
一方、ステップＳ６０２の判別の結果、一致していると判定した場合は、デジタルカメラ５００は、ファイルを消去すると同時にラベル画像も消去する旨をディスプレイ１０１１に警告表示し（ステップＳ６０３）（第２の警告表示手段）、使用者にラベル画像の消去を行ってよいかどうかの確認を行う（ステップＳ６０４）。使用者がラベル画像の消去を承諾した旨が入力された場合（ステップＳ６０４におけるＹＥＳ）、デジタルカメラ５００はラベル画像を消去し（ステップＳ６０５）（第２の消去手段）、さらに対象ファイルを消去して（ステップＳ６０６）、本処理を終了する。一方、使用者がラベル画像の消去を承諾しない場合は、デジタルカメラ５００は対象ファイルのみを消去して（ステップＳ６０６）、本処理を終了する。
【０１１３】
ここでは、単一のファイルの消去について説明を行ったが、メモリカード１００内の全部のファイルを消去する場合、又はメモリカード１００をフォーマットする（初期化手段）場合も、図１１のファイル消去処理と同様にファイルと同時にラベル画像も消去され、ラベル画像と記録されているファイルとの間に不一致が発生しないように処理される。
【０１１４】
また、書き換え可能な表示部３，４を有するメモリカード１００をデジタルカメラ５００等に装着する場合、メモリカード１００をデジタルカメラ５００等から抜き出さない限り、使用者は表示部３，４の状態を見ることができないので、表示部３，４に現在何が表示されているかを認識することができない。これを防止するために、デジタルカメラ５００は後述する図１２のラベル画像表示処理を実行して、ラベル画像をディスプレイ１０１１に表示する。
【０１１５】
図１２は、図３のデジタルカメラによって実行されるラベル画像表示処理の手順を示すフローチャートである。
【０１１６】
デジタルカメラ５００は、モードスイッチ１０２１を再生モードにし（ステップＳ７０１）、メモリカード１００に存在する最新の画像ファイルに保存された画像データをＤＲＡＭ１００６に展開し（ステップＳ７０２）、表示回路１０１２を起動することにより、展開された画像データをディスプレイ１０１１に表示する（ステップＳ７０３）。
【０１１７】
次に、デジタルカメラ５００は、操作スイッチ１０２２の状態を判別し（ステップＳ７０４）、操作スイッチ１０２２がメニュー画面の表示を指示しているときは、メニュー画面を表示する（ステップＳ７０５）。ここで、デジタルカメラ５００は、メニュー画面において、メモリカード１００のラベル画像を表示することを選択肢として表示する。    
【０１１８】
さらに、デジタルカメラ５００は、再び操作スイッチ１０２２の状況を判別し（ステップＳ７０６）、操作スイッチ１０２２がラベル画像の表示を指示しているときは、ラベル情報ファイルを読み出し（ステップＳ７０７）、ラベル情報ファイルのファイル名を含む画像ファイルを読み出すことによって、画像ファイルに保存された画像データがＤＲＡＭ１００６に展開され（ステップＳ７０８）、表示回路１０１２を起動し、展開された画像データをディスプレイ１０１１に表示し（ステップＳ７０９）、その後ステップＳ７０４〜ステップＳ７０９の処理を繰り返して本処理を終了する。これにより、ディスプレイ１０１１にラベル画像と同一の画像を表示することができる。
【０１１９】
また、本発明の目的は、上記実施の形態の機能を実現するソフトウェアのプログラムコードを記録した記憶媒体（又は記録媒体）を、システム又は装置に供給し、そのシステム又は装置のコンピュータ（又はＣＰＵやＭＰＵ）が情報記憶媒体に格納されたプログラムコードを読出して実行することによっても達成されることは言うまでもない。
【０１２０】
この場合、情報記憶媒体から読出されたプログラムコード自体が前述した実施の形態の機能を実現することになり、そのプログラムコード及び該プログラムコードを記録した情報記憶媒体は本発明を構成することになる。
【０１２１】
また、コンピュータが読出したプログラムコードを実行することにより、前述した実施の形態の機能が実現されるだけでなく、そのプログラムコードの指示に基づき、コンピュータ上で稼働しているオペレーティングシステム(ＯＳ)等が実際の処理の一部又は全部を行い、その処理によって前述した実施の形態の機能が実現される場合も含まれることは言うまでもない。
【０１２２】
さらに、情報記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵ等が実際の処理の一部又は全部を行い、その処理によって前述した実施の形態の機能が実現される場合も含まれることは言うまでもない。
【０１２３】
また、上記プログラムは、上述した実施の形態の機能をコンピュータで実現することができればよく、その形態は、オブジェクトコード、インタプリタにより実行されるプログラムコード、ＯＳに供給されるスクリプトデータ等の形態を有するものでもよい。
【０１２４】
プログラムを供給する情報記憶媒体としては、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等を用いることができる。又は、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１２５】
【図１】本発明の実施の形態に係る情報記憶媒体の斜視図であり、（ａ）は表側から見た場合を示し、（ｂ）は裏側から見た場合を示す。
【図２】図１のメモリカードの内部構成を概略的に示すブロック図である。
【図３】本発明の実施の形態に係る記録再生装置の構成を概略的に示すブロック図である。
【図４】図３のデジタルカメラによって実行されるラベル認識処理の手順を示すフローチャートである。
【図５】図３のデジタルカメラによって実行されるラベル書き込み処理の手順を示すフローチャートである。
【図６】図３のデジタルカメラによって実行される撮影時におけるラベル書き換え処理の手順を示すフローチャートである。
【図７】図３のデジタルカメラによって実行されるシャットダウン処理の手順を示すフローチャートである。
【図８】図３のデジタルカメラによって実行される再生モード処理の手順を示すフローチャートである。
【図９】図８のステップＳ４０８で表示されるディスプレイの表示内容を示す図である。
【図１０】図３のデジタルカメラによって実行される警告表示処理の手順を示すフローチャートである。
【図１１】図３のデジタルカメラによって実行されるファイル消去処理の手順を示すフローチャートである。
【図１２】図３のデジタルカメラによって実行されるラベル画像表示処理の手順を示すフローチャートである。
【符号の説明】
【０１２６】
３  表示部（ラベル）
４  表示部（ラベル）
１０  表示制御部
１１  表示部データ記録領域
１００  メモリカード
５００  デジタルカメラ
１００３  ＣＰＵ
１００６  ＤＲＡＭ
１０１１  ディスプレイ
【図１】
2006060413.tif 000003
【図２】
2006060413.tif 000004
【図３】
2006060413.tif 000005
【図４】
2006060413.tif 000006
【図５】
2006060413.tif 000007
【図６】
2006060413.tif 000008
【図７】
2006060413.tif 000009
【図８】
2006060413.tif 000010
【図９】
2006060413.tif 000011
【図１０】
2006060413.tif 000012
【図１１】
2006060413.tif 000013
【図１２】
2006060413.tif 000014